(57)【要約】      （修正有）【課題】水密性が高く、放熱性にも優れたＬＥＤ照明装置を提供する。【解決手段】基板と、該基板の一方の主面に配置される複数のＬＥＤと前記基板の他方の主面と接するように配置される放熱体３が、継目のない外周面上の径方向に対向する二位置に凹部７を有する筒状の透光性を有するケース１に収容され、前記放熱体の外周面が前記ケースの内面と接するように形成されることを特徴とする。【選択図】図２
0003175422.tif 000002
【実用新案登録請求の範囲】
【請求項１】
基板と、前記基板の一方の主面に配置される複数のＬＥＤと前記基板の他方の主面と接するように配置される放熱体が、継目のない外周面上の径方向に対向する二位置に凹部を有する筒状の透光性を有するケースに収容され、前記放熱体の外周面が前記ケースの内面と接するように形成されることを特徴とする照明装置。
【請求項２】
前記放熱体の一部は、前記凹部に挟み込まれるように配置され、断面視において前記凹部の下側に前記基板が配置されることを特徴とする請求項1に記載の照明装置。
【請求項３】
前記放熱体は、前記凹部の下側よりも上側に大きな表面積を有することを特徴とする請求項1または２に記載の照明装置。
【請求項４】
更に前記ケースを保持するためのフレームが、前記ケースにおける前記凹部の上側の外周面と接して形成され、前記凹部に前記フレーム端を嵌めこむことで前記ケースを保持することを特徴とする請求項1乃至３のいずれか1項に記載の照明装置。
【請求項５】
更に前記ケースにおける前記凹部の上側の外周面の一部が、前記放熱体と前記ケースと前記フレームが順次接するように形成されることを特徴とする請求項1乃至４のいずれか1項に記載の照明装置。
【請求項６】
更に、前記ケースの両端には、ゴム製のパッキンによって密封されていることを特徴とする請求項1乃至５のいずれか1項に記載の照明装置。   
【考案の詳細な説明】
【技術分野】
【０００１】
本考案は、水密性が高く、放熱性に優れたＬＥＤ（発光ダイオード）照明装置に関する。
【背景技術】
【０００２】
近年、ＬＥＤを照明用の光源とした照明装置が積極的に開発され、様々な用途に使用されている。このような照明装置は、屋外で使用されることもあるため、雨水や水蒸気等の侵入を防止するためには、高い水密性を備えるカバーが必要となる。
【０００３】
従来のＬＥＤ照明装置に用いるカバー部材としては、アルミニウム製のベース部材にアクリル等の合成樹脂製のカバーを組合せて灯管を構成し、その中にＬＥＤを支持するものが開示される（例えば特許文献１）。
【０００４】
しかし、このような特許文献１に記載の照明装置にあっては、金属と合成樹脂との間では材料の線膨脹の違いにより熱による変形量が異なるため、周囲温度の変化などによって、これらの接合部に隙間が生じ、十分な水密性を確保できないという問題があった。
【先行技術文献】
【特許文献】
【０００５】
【特許文献１】登録実用新案第３１５１５０１号公報
【考案の概要】
【考案が解決しようとする課題】
【０００６】
本考案は、上記問題点に鑑み、水密性が高く、放熱性にも優れたＬＥＤ照明装置を提供する。
【課題を解決するための手段】
【０００７】
上記の課題を解決するために、本考案は、以下に掲げる構成とした。  基板と、前記基板の一方の主面に配置される複数のＬＥＤと前記基板の他方の主面と接するように配置される放熱体が、継目のない外周面上の径方向に対向する二位置に凹部を有する筒状の透光性を有するケースに収容され、前記放熱体の外周面が前記ケースの内面と接するように形成されることを特徴とする。
【考案の効果】
【０００８】
本考案に係る照明装置は、高い水密性を有するカバーにより、内部への雨水や水蒸気等の侵入を防止すると共に、光源からの熱を効率的に放熱することができるＬＥＤ照明装置を提供できる。
【図面の簡単な説明】
【０００９】
【図１】本考案の第1の実施形態に係る照明装置の全体概略図である。
【図２】本考案の第1の実施形態に係る照明装置の断面図（図１に示すＡ−Ａ切断線で切った断面図）である。
【図３】本考案の第２の実施形態に係る照明装置の全体概略図である。
【図４】本考案の第２の実施形態に係る照明装置の断面図（図３に示すＢ−Ｂ切断線で切った断面図）である。
【考案を実施するための形態】
【００１０】
以下、本考案の実施の形態について、詳細に説明する。但し、図面は模式的なものであり、寸法比などは現実のものとは異なることに留意すべきである。従って、具体的な寸法比などは以下の説明を参酌して判断すべきものである。又、図面相互間においても互いの寸法の関係や比率が異なる部分が含まれていることはもちろんである。
また、以下に示す実施の形態は、この発明の技術的思想を具体化するための例示であって、この発明の実施の形態は、構成部品の材質、形状、構造、配置等を下記のものに特定するものではない。この発明の実施の形態は、要旨を逸脱しない範囲内で種々変更して実施できる。
【００１１】
図１は、本考案の第1の実施形態に係る照明装置１０を示す図である。また、図２は、図１に示すＡ−Ａ切断線で切った断面図である。
【００１２】
図１及び図２に示されるように、照明装置１０は、直管型ＬＥＤ蛍光灯であり、複数の発光ダイオード５が実装基板４の一方の主面に配置される。実装基板４の他方の主面は、放熱体３と接し、保持されている。なお、放熱体３は放熱性の良い材料として例えば、アルミニウム（Ａｌ）を用いることができる。
この放熱体３及び実装基板４及び発光ダイオード５は、継目のない略円筒状の透光性を有するケース１に格納される。ケース１は、透光性を有する材料であればよく、例えば、樹脂等により形成される。ケース１には、図２に示すように、その断面視において左右のそれぞれに凹部７を有し、くびれた形状をしている。
そして、この凹部７には、ケース１を保持するフレーム２の端部が嵌め合わされることで、フレーム２は、ケース１を保持する。
また、図１に示したように、ケース１の両端部にはキャップ６ａ、６ｂを被せるが、その封止部にはゴムパッキンを備えることで、ケース１内部への水蒸気等の侵入を防止している。
なお、発光ダイオード５の発光のために、外部より電源を供給するためのピン１２を備えている。
このようにして、第1の実施形態に係る照明装置１０が完成する。
【００１３】
ケース１は、樹脂などの継目のない略円筒状であって、その両端はゴムパッキン等の密閉性の高い材質により封止されるため、極めて水密性が高く、その内部に格納される発光ダイオード５等の部品は水蒸気等から保護される。  一方で、このように密閉されたケースにおいては、その内部に収容される発光ダイオード５等の部品の発する熱を効率よく外部へ放出させることが必要となる。発光ダイオード５等を含めた周辺部品は熱により不具合を生じ、その製品寿命に影響を与えることがあるからである。
【００１４】
ケース１の内部には、放熱体３が設置される。この放熱体３の底面には、実装基板４が設置されるため、実装基板４上に配置される発光ダイオード５等を含めた周辺部品の発熱を放熱体３に伝えることができる。この放熱体３は、図２に示すように、その断面視において略「Ｔ」字形状となっており、ケース１の左右２つの凹部７に挟み込まれるように配置されている。そして、この凹部７には、ケース１を保持するフレーム２の端部が嵌め合わされるため、放熱体３、ケース１及びフレーム２が順次接するように構成される。このため、放熱体３からケース１及びフレーム２へと、効率よく発光ダイオード５等からの発熱を外部へと放出することができる。このとき、放熱体３、ケース１及びフレーム２が順次接する面積をより広く形成することで放熱性を向上させることが可能となる。
【００１５】
図３は、本考案の第２の実施形態に係る照明装置２０を示す図である。また、図４は、図３に示すＢ−Ｂ切断線で切った断面図である。
【００１６】
図３及び図４に示されるように、照明装置２０は、道路灯や防犯灯等に適した照明装置であり、複数の発光ダイオード５が実装基板４の一方の主面に配置される。
実装基板４の他方の主面は、略半円筒状からなる放熱体３と接し、保持されている。なお、放熱体３は放熱性の良い材料として例えば、アルミニウム（Ａｌ）を用いることができる。
この放熱体３及び実装基板４及び発光ダイオード５は、継目のない略円筒状の透光性を有するケース１に格納される。ケース１は、透光性を有する材料であればよく、例えば、樹脂等により形成される。ケース１には、図４に示すように、その断面視において左右のそれぞれに凹部７を有し、くびれた形状をしている。
そして、この凹部７には、ケース１を保持するフレーム２の端部が嵌め合わされることで、フレーム２は、ケース１を保持する。
また、図１に示したように、ケース１の両端部にはキャップ８ａ、８ｂを被せるが、その封止部にはゴムパッキンを備えることで、ケース１内部への水蒸気等の侵入を防止している。
このようにして、第２の実施形態に係る照明装置２０が完成する。
【００１７】
上述のとおり、第２の実施形態に係る照明装置２０の基本的な構成は、第１の実施形態に係る照明装置１０と同様であるが、放熱体３の形状が大きく異なる。これは、第１の実施形態に係る照明装置１０は、ピン１２によりその全体を保持するため、出来る限り軽量とする方が好ましい。そのため、放熱体３の形状を大きく出来ないことがある。一方で、第２の実施形態に係る照明装置２０は主に支柱等によって道路や公園等に設置するため、放熱体３の形状を大きくすることで重量が増しても弊害は無い。よって、放熱性をさらに向上させた形状となっている。
【００１８】
第２の実施形態に係る照明装置２０の放熱体３は、略半円筒状であり、この放熱体３の底面には、実装基板４が設置されるため、実装基板４上に配置される発光ダイオード５等を含めた周辺部品の発熱を放熱体３に伝えることができる。この放熱体３の略円弧部分は、その表面全体がケース１の内側表面に接するように配置される。また、ケース１の外側表面には、放熱体３の略円弧部分及びケース１を覆うようにアルミニウム等の金属体から成るフレーム２がケース１の外側表面に接して形成される。このため、第１の実施形態に係る照明装置１０と比較し、放熱体３、ケース１及びフレーム２が順次接する面積がより広くなり、放熱体３からケース１及びフレーム２へと、効率よく発光ダイオード５等からの発熱を外部へと放出することができる。
【符号の説明】
【００１９】
１  ケース２  フレーム３  放熱体４  実装基板５  発光ダイオード６ａ、６ｂ、８ａ、８ｂ  キャップ７  凹部１０、２０  照明装置１２  ピン            
【図１】
0003175422.tif 000003
【図２】
0003175422.tif 000004
【図３】
0003175422.tif 000005
【図４】
0003175422.tif 000006